(57)【要約】　　　（修正有）【課題】印判ガイド部と底部容器の分離嵌合を何度繰り返しても上部吸蔵体が固定部材から外れてしまったり、擦れて劣化してしまうことがなく、速やかに上部吸蔵体のインキ含浸量の復元が可能であるので、印判を用いてインキを転写しても長期に渡って鮮明な印影を得ることができる印判用スタンドの提供。【解決手段】固定部材７を介して上部吸蔵体９を固定した印判ガイド部６と下部吸蔵体５を固定した底部容器３とを分離可能とした印判用スタンドであって、前記上部吸蔵体９の表面を凹凸形状とし、前記固定部材７を当該凹凸形状に合致する形状とし、前記印判ガイド部６と前記底部容器３の嵌合時に前記上部吸蔵体９の凸部と前記下部吸蔵体５が当接するようにしたことを特徴とする印判用スタンド。【選択図】図１
2004058577.tif 000002
【特許請求の範囲】
【請求項１】
固定部材を介して上部吸蔵体を固定した印判ガイド部と下部吸蔵体を固定した底部容器とを分離可能とした印判用スタンドであって、前記上部吸蔵体の表面を凹凸形状とし、前記固定部材を当該凹凸形状に合致する形状とし、前記印判ガイド部と前記底部容器の嵌合時に前記上部吸蔵体の凸部と前記下部吸蔵体が当接するようにしたことを特徴とする印判用スタンド。
【発明の詳細な説明】
【０００１】
【発明の属する技術分野】
本考案は、インキ吸蔵体を有し、印判を収納可能な印判用スタンドに関するものである。
【０００２】
【従来の技術】
従来、インキ吸蔵体を二重構造とした印判用スタンドとしては、実公昭５０−４４１７６号、実公昭５１−４６０８５号、実開平１−１７４１６２号、実開平１−１７４１６３号が公知となっている。これらは、早急かつ均一に上部吸蔵体のインキ吸蔵量の復元ができず、またインキ補充口を広く設ける事ができないためにインキ補充時が手間であるほか、部品点数も多くコスト高である欠点があった。
そこで、本出願人は先に、実開平４−８９３７０、実開平４−１３２９７１を考案し、印判ガイド部と底部容器とが分割可能である印判用スタンドにおいて、それぞれ上部吸蔵体及び下部吸蔵体を保持させ、下部吸蔵体にインキを供給することによって従来の欠点を解決した。
しかしながら、実開平４−８９３７０、実開平４−１３２９７１などは、印判ガイド部と底部容器の分離嵌合を何度も繰り返すと上部吸蔵体が擦れてしまい、固定リブから外れてしまう欠点があった。また、上部吸蔵体に軟質素材を用いた場合は、わずかな外力で吸蔵体が破れて落下してしまうので、その対策としてある程度の強度（硬さ）のものを用いる必要があり、素材の選択の幅を狭めてしまう欠点があった。
【０００３】
【発明が解決しょうとする課題】
そこで、本発明は上部吸蔵体と下部吸蔵体とからなる二重構造のインキ吸蔵体を有し、かつ、上部吸蔵体と下部吸蔵体とが分割可能である印判用スタンドにおいて、前記従来の欠点を解決せんとするものである。
【０００４】
【課題を解決するための手段】
固定部材を介して上部吸蔵体を固定した印判ガイド部と下部吸蔵体を固定した底部容器とを分離可能とした印判用スタンドであって、前記上部吸蔵体の表面を凹凸形状とし、前記固定部材を当該凹凸形状に合致する形状とし、前記印判ガイド部と前記底部容器の嵌合時に前記上部吸蔵体の凸部と前記下部吸蔵体が当接するようにしたことを特徴とする印判用スタンド。
【０００５】
【発明の実施の形態】
本発明について、図１、図２により詳細に説明する。
１は印字体を有してなる印判である。
２は印判ガイド部６と底部容器３とからなる印判用スタンドである。
底部容器３は、片方が閉塞端である筒状の容器であり、内底面にリブ４を設けてある。リブ４には、気孔率の大きい（毛細管力の小さい）下部吸蔵体５を挿入し、嵌合固定する。また、底部容器３は、開口端側を印判ガイド部６に着脱可能に嵌合する。嵌合方法は、凹凸嵌合、ネジ嵌合など着脱自在であればどのような方法でもよい。
印判ガイド部６は、上部開口端より下部開口端に向かう内壁面にテーパーを設けてあり、印判の挿入がスムーズに行なえるように設定してある。また、下部の内壁面に端面８を有している。
上部吸蔵体９は、前記下部吸蔵体５より気孔率が小さい（毛細管力の大きい）素材からなり、片面を凹凸状に形成してある。また、固定部材７は前記上部吸蔵体９をカバーできる形状で、かつ、上部吸蔵体９の凸部１３と同形状に孔を空けてあり、凸部１３が孔から突出できるようにしてある。
本実施例を組み立てるときは、印判ガイド部６の端面８に上部吸蔵体９を置き、次に固定部材７と端面８によって上部吸蔵体９を挟み込むようにして、固定部材７を印判ガイド部６の下部の内壁面に嵌合固定する。固定部材７には上部吸蔵体９の凸部１３と同形状に孔が設けてあるので、固定部材７の孔から凸部１３が突出する。次に、下部吸蔵体５を有する底部容器３と印判ガイド部６を嵌合すると、上部吸蔵体９の凸部１３と下部吸蔵体５が当接する。その後、下部吸蔵体５のインキが毛細管現象を利用して上部吸蔵体９に吸収される。
ここで、下部吸蔵体５及び上部吸蔵体９は、フェルト、ポリプロピレンパンチングフェルト、合成樹脂焼結体、ゴム多孔体、ガラス多孔体、金属多孔体などの素材を用いることができ、インキが上昇するようにするために上部吸蔵体９の気孔率が下部吸蔵体５の気孔率より小さくなるように（毛細管力が大きくなるように）設定する。また、布帛には、１ｄ〜１０００００ｄの綿布や、１ｄ〜１００ｄの化学繊維布、０．０１ｄ〜１ｄの極微細繊維布などを用いることができる。また、上部吸蔵体の凸部は、角形、丸形、球形、菱形、星形など様々な形状とすることができ、サイズも大小様々な大きさとすることができ、個数の多少も所要に応じて自由に選択できる。
【０００６】
次に、インキの補充方法を説明する。
インキ補充時には、まず印判ガイド部６と底部容器３を分割する。そうすると上部吸蔵体９の凸部１３と下部吸蔵体５との当接が解除され、下部吸蔵体５が露出して直接インキを補充できるようになる。
インキ補充後は、底部容器３に印判ガイド部６を嵌合して元の状態に戻すと、上部吸蔵体９の凸部１３と下部吸蔵体５が再び当接する。この際、上部吸蔵体９の気孔率が下部吸蔵体５の気孔率より小さくなるように（毛細管力が大きくなるように）設定してあるので、下部吸蔵体５のインキが毛細管現象を利用して速やかに上部吸蔵体９に吸収される。
【０００７】
【発明の効果】
本発明は、上部吸蔵体を固定部材で保護する構成としたので、印判ガイド部と底部容器の分離嵌合を何度繰り返しても上部吸蔵体が固定部材から外れてしまったり、擦れて劣化してしまうことがなく、速やかに上部吸蔵体のインキ含浸量の復元が可能であるので、印判を用いてインキを転写しても長期に渡って鮮明な印影を得ることができるものである。
また、スタンド全体の部品点数が少なくて済むと共に、インキ補充時の手間も解消し、更に印判スタンドをインキ補充で汚すことはないものである。
また、上部吸蔵体は固定部材によって外力から保護されるので容易に破損することがないため、軟質物質を素材として選択できる利点がある。
また、上部吸蔵体の凸部がクッションとして作用するので、印判を上部吸蔵体に強く押しつけても印面を破損することなく保護することができ、かつ、鮮明な捺印が得られる効果がある。さらに、凸部の形状、サイズ、個数によりインキ移行量を調整することができる。
【図面の簡単な説明】
【図１】本発明の断面図
【図２】本発明の分解斜視図
【符号の説明】
１　印判
２　印判スタンド
３　底部容器
４　リブ
５　下部吸蔵体
６　印判ガイド部
７　固定部材
８　端面
９　上部吸蔵体
１１　開口部
１３　凸部
【図１】
2004058577.tif 000003
【図２】
2004058577.tif 000004